(57)【要約】【課題】蒸発器により生成されたドレン水をより好適に排除することができるエレベータ用エアコンを提供することである。【解決手段】エレベータ用エアコン１０において、液化された冷媒を気化する蒸発器２８と、蒸発器２８によって気化された冷媒を凝縮液化する凝縮器３８と、蒸発器３８で生成されたドレン水を溜めるタンク部３４と、タンク部３４に溜められたドレン水の水位を検出する水位検出部と、タンク部３４に溜められたドレン水の水位が所定以上となったときに、ドレン水の中で振動する超音波振動子部３６と、を備える【選択図】図１
2010163228.tif 000002
【特許請求の範囲】
【請求項１】
液化された冷媒を気化する蒸発器と、
蒸発器によって気化された冷媒を凝縮液化する凝縮器と、
蒸発器で生成されたドレン水を溜めるタンク部と、
タンク部に溜められたドレン水の水位を検出する水位検出部と、
タンク部に溜められたドレン水の水位が所定以上となったときに、ドレン水の中で振動する超音波振動子部と、
を備えることを特徴とするエレベータ用エアコン。
【請求項２】
請求項１に記載のエレベータ用エアコンにおいて、
タンク部は、
凝縮器の下方に設けられることを特徴とするエレベータ用エアコン。
【請求項３】
請求項２に記載のエレベータ用エアコンにおいて、
超音波振動子部の振動によって霧化されたドレン水を凝縮器に対して噴霧する噴霧ノズルをさらに備えることを特徴とするエレベータ用エアコン。
【請求項４】
請求項２に記載のエレベータ用エアコンにおいて、
一方端の開口が超音波振動子部を覆い、他方端の開口が凝縮器を覆うダクトをさらに備えることを特徴とするエレベータ用エアコン。
【請求項５】
請求項１から請求項４のいずれか１に記載のエレベータ用エアコンにおいて、
超音波振動子部は、複数個の超音波振動子からなり、水位検出部が検出したドレン水の水位に応じて、振動する超音波振動子の個数が変化することを特徴とするエレベータ用エアコン。
【発明の詳細な説明】
【技術分野】
【０００１】
本発明は、エレベータ用エアコンに係り、特に、乗りかご室内の室温を調整するエレベータ用エアコンに関する。
【背景技術】
【０００２】
エレベータに設置されたエレベータ用エアコンは、ファンを回転させて吸込口から本体内部に吸い込んだ空気をフィルタで濾過し、蒸発器で熱交換を行った後に吹出口から吹き出している。蒸発器で生成されたドレン水はドレンパンに溜められるが、エレベータ用エアコンの使用を継続すると、ドレン水がドレンパンから溢れ出してしまう可能性がある。
【０００３】
特許文献１には、空気調和機のドレン処理装置が開示されている。ここでは、蒸発器の下方のドレンパンより導かれるドレンを凝縮器の上方に配置された複数個のドレン穴より凝縮器の下方のドレンパンに落とし、電動機の軸で回転駆動される散水ポンプにより吸い上げて凝縮器へ滴下させると述べられている。
【先行技術文献】
【特許文献】
【０００４】
【特許文献１】実開昭５６−１５３７１９号公報
【発明の概要】
【発明が解決しようとする課題】
【０００５】
上記特許文献１の構成によれば、ドレン水を蒸発することができる。しかし、特許文献１の構成では、ドレン水を凝縮器にかけて蒸発させているため、ドレン水に含まれるゴミ等が凝縮器に付着する等の問題がある。
【０００６】
本発明の目的は、蒸発器により生成されたドレン水をより好適に排除することができるエレベータ用エアコンを提供することである。
【課題を解決するための手段】
【０００７】
本発明に係るエレベータ用エアコンは、液化された冷媒を気化する蒸発器と、蒸発器によって気化された冷媒を凝縮液化する凝縮器と、蒸発器で生成されたドレン水を溜めるタンク部と、タンク部に溜められたドレン水の水位を検出する水位検出部と、タンク部に溜められたドレン水の水位が所定以上となったときに、ドレン水の中で振動する超音波振動子部と、を備える。
【０００８】
また、本発明に係るエレベータ用エアコンにおいて、タンク部は、凝縮器の下方に設けられることが好ましい。
【０００９】
また、本発明に係るエレベータ用エアコンにおいて、超音波振動子部の振動によって霧化されたドレン水を凝縮器に対して噴霧する噴霧ノズルをさらに備えることが好ましい。
【００１０】
また、本発明に係るエレベータ用エアコンにおいて、一方端の開口が超音波振動子部を覆い、他方端の開口が凝縮器を覆うダクトをさらに備えることが好ましい。
【００１１】
また、本発明に係るエレベータ用エアコンにおいて、超音波振動子部は、複数個の超音波振動子からなり、水位検出部が検出したドレン水の水位に応じて、振動する超音波振動子の個数が変化することが好ましい。
【発明の効果】
【００１２】
上記構成のエレベータ用エアコンによれば、超音波振動子部の振動によってドレン水が霧化される。これにより、ドレン水に含まれるゴミ等がエレベータ用エアコンを構成する部品に付着することなく、ドレン水を排除することができる。
【００１３】
また、上記構成の噴霧ノズルを備えるエレベータ用エアコンによれば、霧化されたドレン水を凝縮器に対して噴霧する。これにより、霧化されたドレン水で凝縮器を冷却することができる。
【００１４】
また、上記構成のダクトを備えるエレベータ用エアコンによれば、霧化されたドレン水を凝縮器に誘導して凝縮器を冷却することができる。
【図面の簡単な説明】
【００１５】
【図１】本発明の第１実施形態であるエレベータ用エアコンを含んだエレベータにおける乗りかご内の様子を示す図である。
【図２】本発明の第１実施形態であるエレベータ用エアコンにおける室外機と制御部との関係を示す図である。
【図３】本発明の第１実施形態であるエレベータ用エアコンの変形例おいて矢印Ｂ方向（図２参照）から見た図に相当する図である。
【図４】本発明の第１実施形態であるエレベータ用エアコンの別の変形例における室外機と制御部との関係を示す図である。
【図５】本発明の第１実施形態であるエレベータ用エアコンのさらに別の変形例における室外機と制御部との関係を示す図である。
【発明を実施するための形態】
【００１６】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１７】
図１は、本発明の第１実施形態であるエレベータ用エアコン１０を含んだエレベータシステム１００における乗りかご２内の様子を示す図である。エレベータシステム１００は、乗りかご２を移動させるために主ロープ７を巻き上げる巻上機（図示せず）とエレベータ制御盤（図示せず）とが昇降路の最下部であるいわゆるピット内に設置されている。乗りかご２は、乗客４を行き先階まで移動させるためのものであって、かご操作盤８と、かご扉６と、エレベータ用エアコン１０とを含んで構成される。かご操作盤８は、乗りかご２内に設けられ乗りかご２の行き先を選択する押ボタン８２や表示パネル８４等が配置される操作盤である。かご扉６は、乗りかご２が乗客４によって設定された行き先階に到着したときに開閉する扉である。表示パネル８４は、乗りかご２の現在の階床位置を表示する機能を有する。
【００１８】
エレベータ用エアコン１０は、室内機２０と室外機３０とを含んで構成される。室内機２０は、乗りかご２の天井部分に配置され、吸込口部２０１と、吹出口部２０２と、エアコン本体部２１ａとを含んで構成される。エアコン本体部２１ａは、蒸発器２８とフィルタ２２と室内ファン２９とを含んで構成される。
【００１９】
吸込口部２０１は、乗りかご２内の空気をエアコン本体部２１ａ内に取り込むための吸込口２０３（図１参照）と、吸込口２０３（図１参照）からエアコン本体部２１ａ内に向けて延伸する蛇腹状の吸込口ホース２０５とを含んで構成される。吸込口部２０１は、乗りかご２の天井に吸込口用の孔をあけ、吸込口部２０１の吸込口２０３（図１参照）が乗りかご２内に向くように配置される。
【００２０】
フィルタ２２は、エアコン本体部２１ａ内の上流側であって吸込口部２０１付近に設けられる。フィルタ２２は、吸込口部２０１から吸い込まれた空気を濾過する機能を有する。
【００２１】
蒸発器２８は、フィルタ２２の下流側に設けられ、室内ファン２９によって吸い込まれる空気を冷風に換えるための熱交換を行う機能を有する。ここで、蒸発器２８と凝縮器３８とは、往路側配管４２と帰路側配管４４とで接続され、配管の中は冷媒が循環している。そして、蒸発器２８は、往路側配管４２を通じて流入してきた液化冷媒を蒸発気化させることで熱交換を行っている。また、ドレンパン２４は、蒸発器２８の下方に配置され、蒸発器２８が熱交換を行った際に生成されたドレン水を受ける容器である。そして、ドレンパン２４からタンク部３４に延伸するドレンホース２６が配置される。
【００２２】
室内ファン２９は、蒸発器２８の下流側に設けられ、乗りかご２内の空気を吸込口部２０１とフィルタ２２と蒸発器２８を介して吸い込む機能を有する。なお、室内ファン２９は、図示しないモータによって回転駆動される。
【００２３】
吹出口部２０２は、室内ファン２９によって吸込口２０３から吸い込まれ蒸発器２８によって熱交換された空気を吹出すための吹出口２０４（図１参照）と、エアコン本体部２１ａから吹出口２０４（図１参照）に向けて延伸する蛇腹状の吹出口ホース２０６とを含んで構成される。乗りかご２の天井に吹出口用の孔をあけ、吹出口部２０２の吹出口２０４（図１参照）が乗りかご２内に向けられるように配置される。
【００２４】
図２は、室外機３０と制御部７０との関係を示す図である。室外機３０は、凝縮器３８と室外ファン３９とを含んで構成される。凝縮器３８は、蒸発器２８で気化された冷媒が帰路側配管４４を通り図示しない圧縮機によって圧縮されて流入された気化冷媒を凝縮液化する機能を有する。そして、凝縮器３８によって液化された冷媒は、図示しない膨張弁によって膨張された後に、再び、往路側配管４２に流れこむ。室外ファン３９は、凝縮器３８が気化冷媒を凝縮液化させるために送風する機能を有する。
【００２５】
タンク部３４は、凝縮器３８の下方に配置される容器である。タンク部３４は、蒸発器２８で生成されドレンホース２６を介して流入してきたドレン水を貯水するための容器である。超音波振動子部３６は、タンク部３４の底面に取り付けられ、タンク部３４に溜められたドレン水を振動させることでドレン水を霧化させる部材である。水位検出部３７は、タンク部３４内に溜められたドレン水に浮くフロートを備え、タンク部３４内に貯められたドレン水の水位がフロートの位置で検知することができる。
【００２６】
制御部７０は、水位検出部３７の出力に基づいて超音波振動子部３６を制御する機能を有する。具体的には、制御部７０は、水位検出部３７によって検出されたタンク部３４内の水位が所定以下であれば超音波振動子部３６をオフの状態とし、タンク部３４内の水位が所定以上であれば超音波振動子部３６をオンの状態とする。
【００２７】
続いて、上記構成からなるエレベータ用エアコン１０を含んだエレベータシステム１００の動作について、図１，図２を参照して説明する。エレベータシステム１００のエレベータ用エアコン１０が運転状態である場合には、吸込口２０３から乗りかご２内の空気が室内ファン２９の回転によってエアコン本体部２１ａ内に吸い込まれ、フィルタ２２によって濾過された後に蒸発器２８によって熱交換された空気が吹出口２０４から乗りかご２内に吹出される。このとき蒸発器２８において熱交換された際に生成されるドレン水は、ドレンパン２４に滴下して、その後ドレンホース２６を介してタンク部３４へ流れ込んで貯水されていく。
【００２８】
制御部７０は、タンク部３４に溜められたドレン水の水位が所定の水位以下のときは、超音波振動子部３６をオフの状態とし、所定の水位以上となったときに超音波振動子部３６をオンの状態とする。超音波振動子部３６がオンとなりドレン水内で振動するとドレン水が霧化される。
【００２９】
霧化されたドレン水は、上方に向かって浮遊していく。ここで、室外ファン３９の回転によって風向きが矢印Ａ方向となるから、霧化されて浮遊されたドレン水は凝縮器３８に付着する。このように、エレベータ用エアコン１０によれば、蒸発器２８により生成されたドレン水を排除できる。また、霧化されたドレン水を凝縮器３８に付着させているので、ゴミ等を凝縮器３８に付着することなく凝縮器３８を冷却することができる。
【００３０】
次に、図３を参照してエレベータ用エアコン１０の変形例のエレベータ用エアコン１１について説明する。図３は、図２において矢印Ｂ方向から見た図に相当する図である。ここで、エレベータ用エアコン１１は、上記実施形態のエレベータ用エアコン１０とほぼ同様の構成を有するため、同一構成要素には同一符号を付して重複することとなる説明を援用によって省略し、異なる構成およびその作用について説明する。エレベータ用エアコン１１とエレベータ用エアコン１０との相違は、水位検出部３７０と超音波振動子部３６０である。
【００３１】
超音波振動子部３６０は、超音波振動子３６１〜３６６からなり、２つのグループに分けられている。第１グループの超音波振動子は、超音波振動子３６１，３６３，３６５からなる。第２グループの超音波振動子は、超音波振動子３６２，３６４，３６６からなる。第１グループの超音波振動子も第２グループの超音波振動子も制御部７０によって制御される。
【００３２】
水位検出部３７０は、３段階の水位の閾値を基準として、タンク部３４内のドレン水の水位を検出する。３段階の水位の閾値は、低い方から順に第１段階水位３７２と第２段階水位３７４と第３段階水位３７６となっている。
【００３３】
制御部７０は、タンク部３４内のドレン水が第１段階水位３７２まで到達した場合は、第１グループの超音波振動子である超音波振動子３６１，３６３，３６５を振動させる。そして、制御部７０は、タンク部３４内のドレン水が第２段階水位３７４まで到達した場合は、第２グループの超音波振動子である超音波振動子３６２，３６４，３６６を振動させる。さらに、制御部７０は、タンク部３４内のドレン水が第３段階水位３７６まで到達した場合は、エレベータシステム１００の監視を行っている監視センタ（図示しない）に対して通報する。
【００３４】
このように、エレベータ用エアコン１１によれば、タンク部３４に貯水される水位に応じて超音波振動子部３６０において振動する超音波振動子の数を変えているため、ドレン水を霧化させるスピードを調整することができる。また、ドレン水が第３段階水位３７６まで到達したときは、超音波振動子部３６０の霧化によって排水が間に合わないと判断し、監視センタに通報することで保守作業員の迅速な対応につなげることができる。
【００３５】
次に、図４を参照してエレベータ用エアコン１０の別の変形例のエレベータ用エアコン１２について説明する。図４は、エレベータ用エアコン１２の室外機３０と制御部７０との関係を示す図である。ここで、エレベータ用エアコン１２は、上記実施形態のエレベータ用エアコン１０とほぼ同様の構成を有するため、同一構成要素には同一符号を付して重複することとなる説明を援用によって省略し、異なる構成およびその作用について説明する。エレベータ用エアコン１２とエレベータ用エアコン１０との相違は、噴霧ノズル５０をさらに備える点である。
【００３６】
噴霧ノズル５０は、開口部５０ｂが超音波振動子部３６を覆い、噴霧口５０ａが凝縮器３８に向くように取り付けられる。噴霧ノズル５０は、超音波振動子部３６の振動によって霧化されたドレン水が開口部５０ｂから内部に取り込まれ、そのドレン水の流れる方向を定めて、霧化されたドレン水を噴霧口５０ａから凝縮器３８に対して噴霧する機能を有する。
【００３７】
このように、エレベータ用エアコン１２によれば、噴霧ノズル５０によって霧化されたドレン水を凝縮器３８に対して誘導することができる。これにより、より効率よく凝縮器３８を冷却することができる。
【００３８】
次に、図５を参照してエレベータ用エアコン１０のさらに別の変形例のエレベータ用エアコン１３について説明する。図５は、エレベータ用エアコン１３の室外機３０と制御部７０との関係を示す図である。ここで、エレベータ用エアコン１３は、上記実施形態のエレベータ用エアコン１０とほぼ同様の構成を有するため、同一構成要素には同一符号を付して重複することとなる説明を援用によって省略し、異なる構成およびその作用について説明する。エレベータ用エアコン１３とエレベータ用エアコン１０との相違は、ダクト６０をさらに備える点である。
【００３９】
ダクト６０は、一方側の開口部６０ｂが超音波振動子部３６を覆い、他方側の開口部６０ａが凝縮器３８を覆う配管である。ダクト６０は、超音波振動子部３６の振動によって霧化されたドレン水が開口部６０ｂから内部に入り、そのドレン水の流れる方向を定めて、霧化されたドレン水を凝縮器３８に対して誘導する機能を有する。
【００４０】
このように、エレベータ用エアコン１３によれば、ダクト６０によって霧化されたドレン水を凝縮器３８に対して誘導することができる。これにより、より効率よく凝縮器３８を冷却することができる。
【符号の説明】
【００４１】
４  乗客、６  かご扉、７  主ロープ、８  かご操作盤、１０，１１，１２，１３  エレベータ用エアコン、２０  室内機、２１ａ  エアコン本体部、２２  フィルタ、２４  ドレンパン、２６  ドレンホース、２８  蒸発器、２９  室内ファン、３０  室外機、３４  タンク部、３６  超音波振動子部、３７  水位検出部、３８  凝縮器、３９  室外ファン、４２  往路側配管、４４  帰路側配管、５０ｂ  開口部、５０  噴霧ノズル、６０  ダクト、６０ａ  噴霧口、６０ｂ  開口部、７０  制御部、８２  押ボタン、８４  表示パネル、１００  エレベータシステム、２０１  吸込口部、２０２  吹出口部、２０３  吸込口、２０４  吹出口、２０５  吸込口ホース、２０６  吹出口ホース、３６０  超音波振動子部、３６１，３６２，３６３，３６４，３６５  超音波振動子、３７０  水位検出部、３７２  第１段階水位、３７４  第２段階水位、３７６  第３段階水位。
【図１】
2010163228.tif 000003
【図２】
2010163228.tif 000004
【図３】
2010163228.tif 000005
【図４】
2010163228.tif 000006
【図５】
2010163228.tif 000007